(57)【要約】      （修正有）【課題】顕著なデザイン要素を有する非対称なカーペットタイルのデザイン及び製造方法の提供。【解決手段】切り取り枠１４が重ね合わされた床カバー材ウェブ１２の表面１０において、切り取り枠は、ウェブの表面を、（ａ）いずれも切り取り枠の外側にある、縦方向(長手方向）切り取り領域１６及び横方向切り取り領域１８と、（ｂ）各フレーム１４内にそれぞれ存在するデザインフィールド（範囲）領域２０に分割している。ウェブをカーペットタイルに分割するための全ての切れ目は、これらの切り取り領域内に生じており、それゆえに、いかなるデザインフィールド領域に侵入するものではない。【選択図】図１
2010104799.tif 000002
【特許請求の範囲】
【請求項１】
カーペットタイルの製造方法であって、
（ａ）（ｉ）床カバー材ウェブの幅及び長さを選択し、前記ウェブのブランクを画定することと、
（ｉｉ）前記ウェブのブランク内に、隣接する切り取り枠が切り取り領域を画定する複数の切り取り枠を画定することと、
（ｉｉｉ）前記ウェブのブランク上の複数の切り取り枠の各々内に、少なくとも一つのデザイン要素を配置することとによって、デザインを有するウェブを製造することと、
（ｂ）前記切り取り領域内の任意の場所に位置する切り取り線に沿って前記ウェブを切り取ってタイル縁を有するカーペットタイルを形成することとを含み、
前記いずれの切り取り枠も切り取りの際に切れ目によって侵入されず、前記ウェブから切り取られた各カーペットタイルは、各タイルの縁から少なくとも所定の距離離れて位置する少なくとも一つのデザイン要素を有するパターンを備えるカーペットタイルの製造方法。
【請求項２】
前記ウェブのブランク上の複数の切り取り枠の各々内に、少なくとも一つのデザイン要素を配置することは、さらに前記切り取り枠から所定の距離離して前記少なくとも一つのデザイン要素を配置することを含む請求項１に記載のカーペットタイルの製造方法。
【請求項３】
前記切り取り枠から所定の距離離して前記少なくとも一つのデザイン要素を配置することは、各切り取り枠内に視覚的な枠を画定することと、前記視覚的な枠内に前記少なくとも一つのデザイン要素を配置することとを含む請求項２に記載のカーペットタイルの製造方法。
【請求項４】
カーペットタイルの製造方法であって、
（ａ）（ｉ）床カバー材ウェブの幅及び長さを選択し、前記ウェブのブランクを画定することと、
（ｉｉ）前記ウェブのブランク内に、それぞれが縁を有し、隣接する切り取り枠が切り取り領域を画定する複数の切り取り枠を画定することと、
（ｉｉｉ）前記複数の切り取り枠の各々内に、切り取り枠から所定の距離離れて配置される視覚的な枠を画定することと、
（ｉｖ）前記視覚的な枠の各々内に、少なくとも一つのデザイン要素を配置することとによって、デザインを有するウェブを製造することと、
（ｂ）前記ウェブを切り取り領域内の切り取り線に沿って切り取り、タイル縁を有するカーペットタイルを形成することとを含み、
いずれの切り取り枠も切り取りの際に切れ目によって侵入されず、前記ウェブから切り取られた各カーペットタイルは、各タイル縁から少なくとも所定の距離離れて位置する少なくとも一つのデザイン要素を有するパターンを備えるカーペットタイルの製造方法。
【請求項５】
床の上で組立てられたときに、相対的に統一された背景領域上に視覚的に知覚されるデザイン要素の視覚的に連続する外見が表れるカーペットタイルの製造方法であって、
（ａ）相対的に統一された背景領域と、床カバー材ウェブ上の複数の切り取り枠内に配置された視覚的に認知可能なデザイン要素とを有し、隣接する切り取り枠が切り取り領域を画定する前記ウェブをタフトすることと
（ｂ）前記ウェブを切り取り領域内の任意の場所に位置する切り取り線に沿って切り取って、タイル縁を有し且つタイル縁から所定の距離未満の位置にデザイン要素を有しないカーペットタイルを形成することとを含むカーペットタイルの製造方法。
【請求項６】
前記カーペットタイルを、前記ウェブがタイルに切り取られる前のウェブ上の位置に関わらず相互に隣接させて、床の上に組立てることをさらに含む請求項５に記載のカーペットタイルの製造方法。
【請求項７】
前記カーペットタイルを組立てることは、さらに前記ウェブがタイルに切り取られる前のウェブ上の回転方向の位置に関わらずに行われる請求項６に記載のカーペットタイルの製造方法。
【請求項８】
カーペットタイルの製造方法であって、
（ａ）背景領域と、床カバー材ウェブ上の複数の切り取り枠の各々内に全体が配置されたデザイン要素とを有し、隣接する切り取り枠が切り取り領域を画定する前記ウェブをタフトすることと、
（ｂ）前記ウェブを切り取り領域内の任意の場所に位置する切り取り線に沿って切り取ってタイル縁を有するカーペットタイルを形成することとを含み、
各カーペットタイルは、（ｉ）各タイル縁から所定距離以上離れた位置に配置されるデザイン要素と（ｉｉ）前記デザイン要素以外のタイル表面の全体を覆う背景領域の部分とから構成されるカーペットタイルの製造方法。
【請求項９】
カーペットタイルの製造方法であって、
（ａ）背景領域と、床カバー材ウェブ上の複数の切り取り枠の各々内に全体が配置されたデザイン要素とを有し、隣接する切り取り枠が切り取り領域を画定する前記ウェブをタフトすることと、
（ｂ）前記ウェブを前記切り取り領域内の切り取り線に沿って切り取り、それぞれが、タイル縁、背景領域の部分、及び少なくとも一つのデザイン要素を有し、タイル縁から所定の距離未満の位置には前記デザイン要素が配置されていないカーペットタイルを形成することとを含むカーペットタイルの製造方法。
【発明の詳細な説明】
【技術分野】
【０００１】
本発明は、概してカーペット（絨毯）タイル、各カーペットタイル上の所定の領域に配置されるデザイン要素を有するカーペットタイルのデザイン（設計）の製造方法に関する。
【背景技術】
【０００２】
カーペットタイル（繊維調の上面又は表面を有するモジュラ型（組立型）床カバー材）は、歴史的に、幅広カーペットの外観を模造し且つ製品がモジュラ型であることを隠すか又は少なくともあまり強調しないことが求められる製品であった。この成果を達成するためには、最低限、カーペットタイル又はモジュールが床材の施工において、モジュールが製造された時点で有していた同じ方位で置かれること、そして多くの場合、ウェブ（織物）上における同じ相対位置に置かれることが要求されていた。これは、特に、タフトされた表面、溶着された面又は織られた表面のカーペットタイルを含む慣用のカーペットタイルは通常、タイルにおける（１）製造プロセス及び／又は（２）タイル上のパターンから生じる「方位」を有するためである。
【０００３】
また、慣用のカーペットタイルの製造は、タイル面に組み込まれるか又はタイル表面上に置かれるデザインにおいて、タイルの製造に関連した制約を考慮しなければならなかった。例えば、カーペットタイルは、典型的に、切り取られるタイルの幅の複数倍の幅を有する幅広の床カバー材の「ウェブ」を製造することによって製造される。例えば、典型的なウェブの幅は、約６フィート（１８２．８８センチメートル）又は２メートルの幅である。製織（ウィ−ビング）等の他の技術も用いられるが、このような床カバー材ウェブ等の繊維調の表面を形成するために用いられる主な技術は、タフティング又は溶着である。繊維調表面に裏打ち構造物を取り付けた後、ウェブは、例えば１８インチ（４５．７２センチメートル）角又は０．５メートル角のタイル等のタイル又はモジュールに切り取られる。
【０００４】
このようなカーペットタイルの表面の外観は、典型的には、タイル表面上の糸の色及びパターンや、タイル表面上に印刷することによって作成される。カーペットタイルの表面の印刷は、床カバー材ウェブがタイルに切り取られた後に生じるものであり、タイル縁を参照してタイル上に印刷されたものを位置決めすることが可能となる。床カバー材の表面を特定のパターンにタフトするか又はウェブがタイルに切り取られる前にウェブに印刷することによってタイルの外観が作り出される場合には、タイル縁に対する表面のデザイン要素の位置を正確に制御することは困難である。このことは、幾つかの理由によって真実である。例えば、床カバー材ウェブの表面織物部分は、製造された後に伸縮するか、さもなければ形状が変化するかもしれず、それによって表面織物上のデザイン要素の相対的な位置も変化する。このことは、他の理由の中でも、表面織物が製造時に１つ又はそれ以上の布張り枠のピンから外れる場合に起こり得る。表面織物の拡張又は収縮はまた、加熱又は冷却中あるいは製造プロセスにおける裏打ち構造物の取付けプロセスにおいても起こり得る。
【０００５】
もちろん、床カバー材ウェブからカーペットタイルを切り取るために用いられるナイフ又は刃を、相互に（それによって、タイルが所望の均一なサイズとなることが保証される）及び布張り枠のフック等の製造装置の他の構造物に対して、略正確に配置することができる。しかしながら、床カバー材ウェブの表面上のデザイン要素は製造装置に対して所定の位置に（ウェブ横方向又は縦方向（長手方向）のいずれかに）正確に配置されないかもしれないので、ウェブ表面上のデザイン要素を正確に参照してウェブからタイルを切り取ることは困難である。
【０００６】
床カバー材ウェブを横切る（即ち、長さに対して交差する）、カーペットタイルの縁を画定するであろう切れ目の位置に対して、更なる考慮が必要となる。最初のタイルの組の後縁を形成する切れ目を、次のタイルの組のタイル前縁を形成する切れ目として用いることは実用的でない。その代わりに、全てのタイルの前縁を新しい切れ目によって画成し、その新しい切れ目を参照して同じタイルの後縁を同時に形成する切れ目が作られることが、実用的な事柄として少なくとも頻繁に必要となる。このような新しい切れ目は、実質的に、それに平行であり且つ最初の新しい切れ目の後の、多数の同時に行なわれるカットの基準点を確立するものである。例えば、一つの知られたタイルカッティング装置では、ウェブを８又は１２枚のタイル（ウェブを横切る４枚のタイルの２列又は３列）に切り取るために、第１の横方向の刃の組立体に平行な２つ又は３つの刃の組立体が、縦方向に方位付けられた刃と共にウェブを同時に切る。次いで、ウェブは、次のタイルの群を形成する次のカットの前に、少なくとも前方の刃の組立体を越えるわずかな距離を前進しなければならなくなる。
【０００７】
上記の他の考慮すべき点とともに、これらの要因は、床カバー材ウェブをデザイン及び形成し、次いでウェブ上の正確な所定の位置に生じる横方向の切れ目でタイルを切り取ることは、少なくとも非常に困難であることを意味している。
【０００８】
他の考慮すべき点と同様に、これらの考慮すべき点の全てによって、床カバー材ウェブ上のタイル形成のための切れ目の位置が問題にならないように、カーペットタイルがデザインされる傾向にある。例えば、多くのタイルはタイル表面にパターンを有しておらず、ランダムな糸パターンを用いるか又は糸パターンを用いずに、単色で作られている。別のカーペットタイルのデザインは、デザイン要素を横断するタイル縁が容認できない外観を生じさせることがないように、同じくしばしばランダムな外観パターンにおいて比較的小さなデザイン要素を用いている。さらに別のアプローチとしては、タイル表面にパターンなしでタイルを製造し、次いでタイルが適当な大きさに切り取られた後でその表面にパターンを印刷することであり、タイル縁を基準として印刷の位置を付けることが可能となる。
【０００９】
これらの考慮点に照らして、タフトされた面若しくは溶着面のカーペットタイル又は他の繊維調表面のモジュラ型床材は、一般に、製造中に繊維調の表面に組み込まれた（例えば、表面に印刷されるのではなく）中央に置かれた顕著なデザイン要素を有して製造されていない。
【発明の概要】
【００１０】
上記の考慮点に照らして、タイル形成のための切れ目を床カバー材ウェブの表面の特徴に対して正確に且つ容易に位置決めすることはできない。しかしながら、実用的な事柄として、タフトされた又は溶着面の床カバー材ウェブにおける切れ目と、それゆえにそのような切れ目によって作られたタイル縁が、予め定めた縦方向（長手方向）の帯部又は領域内とウェブ横方向の帯部又は領域内に生じることが予測できる（そうなることを保証できることが妥当であるという意味において）。これらの帯部又は領域を利用して、中央のカーペットタイル領域となるものの周囲の「枠」を画定することにより、及び、枠及びこれらの枠内のより顕著なデザイン要素との間または外側の帯部又は領域内で比較的均一な外観を有するウェブを製造することによって、顕著で概して中央に置かれたデザイン要素を用いて魅力的なカーペットタイルを製造することや、外観においてカーペットタイルの慣用の施工とは著しく異なる、このようなカーペットタイルの視覚的に魅力的な施工を行なうことが可能である。このような施工は、視覚的に顕著なデザイン要素とカーペットタイルとの間で一対一で対応するような、視覚的に顕著なモジュラ性を有している一方で、施工の外観が比較的大規模な幅広カーペット又は部屋の一部に敷く絨毯を模造することができる。このような魅力的な施工は特に、本発明のカーペットタイルと共に、その表面が「背景」若しくは「フィールド」における枠の帯部や他のデザイン要素を有するタイルの領域に現われるデザイン等の背景デザインである「無地」のタイルを利用することにより可能となる。
【００１１】
タイルを形成する切れ目の枠を画定する帯部又は領域内の正確な位置を前もって決定することはできないので、概念上の「枠」内で正確に中央に置かれるデザイン要素は、必ずしも最終的にタイル内において正確に中央に置かれないであろう。少なくともデザイン要素のいくつかは最終的に中央から外れて、このようなタイルの施工において、いくつかのタイルは誤って配置されたデザイン要素を有しているように見えるかもしれない。よって、本発明のいくつかの実施形態では、デザイン要素がそれらを含むタイルにおいて中央に置かれているように見えないように、意図的にデザイン要素が配置される。中央から外れた多数のデザイン要素を有するこのようなタイルの組立体は、見る人にとって意図的且つ魅力的であるように見える。本発明のいくつかの実施形態では、このようなタイルの外観の意図的且つ魅力的なバリエーションは、中央からずれた配置を異ならせることと同様に、外観において異なるサイズ、形状又は他の特徴を有するデザイン要素を用いることによって達成することもできる。
【図面の簡単な説明】
【００１２】
【図１】図１は、デザイン要素及びモジュールを形成する切れ目が位置付けられ得る領域を示す、本発明のカーペットタイルウェブの一例の概略上面図である。
【図２】図２は、本発明のカーペットタイルの概略上面図である。
【図３】図３は、ウェブからカーペットタイルを切り取る前の製造時における本発明のカーペットウェブの上面斜視図である。
【図４】図４は、ウェブをタイルに分離するために成し得る切り取り位置を示すためにマークされた、図３に示されたカーペットウェブの一部の斜視図である。
【図５】図５は、図４に示されたウェブから製造された、本発明のカーペットタイルの施工の斜視図である。
【図６】図６は、図３のウェブのタフトデザインである。
【発明を実施するための形態】
【００１３】
図１は、概念的な又は「切り取り」枠１４が重ね合わされた床カバー材ウェブ１２の表面１０を表している。切り取り枠１４は、ウェブ１２の表面１０を、（ａ）いずれも切り取り枠１４の外側にある、縦方向（長手方向）切り取り領域１６及び横方向切り取り領域１８と、（ｂ）各フレーム１４内にそれぞれ存在するデザインフィールド（範囲）領域２０とに分割している。ウェブをカーペットタイルに分割するための全ての切れ目は、これらの切り取り領域１６及び１８内に生じており、それゆえに、いかなるデザインフィールド領域２０に侵入するものではない。特定の床カバー材ウェブ１２のデザインにおける枠１４のサイズ及び配置は、ウェブを分割する切れ目の配置を制御するカーペットタイル製造業者の能力の実態によって制御されるであろう。ウェブ１２上の切れ目の配置をより大きく制御することによって、ウェブ１２から切り取られるタイル２４の特定のサイズに対してより大きな切り取り枠１４（その結果として、より狭い切り取り領域１６及び１８）を許容することが可能となる。
【００１４】
ウェブ１２が切り取り枠１４の任意の部分に配置されるデザイン要素でデザイン及び製造される一方で、美学的に考慮すれば、デザインは切り取り枠１４内の全領域よりも小さい領域が埋め尽くされることが要求されるであろう。例えば、デザイン要素２３及び２５のような特定のデザイン要素を各切り取り枠１４内の概念的且つ視覚的な枠２２の中にとどめて、少なくとも視覚的な枠２２とそれを囲む切り取り枠１４との間の距離が、表面１０上のこのようなデザイン要素からタイル縁を確実に離すようにすることが望ましいかもしれない。
【００１５】
次に、図２に示される個々のカーペットタイル又はモジュール２４に注目すると、デザイン要素２６（角が丸まった矩形として示された）が視覚的な枠２２内に配置されている。切り取り枠１４の全てはこのタイル２４の表面１０内にあるが、切り取り枠１４、及び、それゆえに視覚的な枠２２は、タイル２４内において中央に置かれていない。しかしながら、このことは、一つにはデザイン要素２６が視覚的な枠２２内で中央に置かれず、それによってタイル縁２８がデザイン要素２６に対して正確に所定の位置に存在しないという事実を隠していることから、タイル２４の外観を損なわない。
【００１６】
デザイン要素２６は、糸色を含むタフトの高さと外観を変更する技術を含む、タイル２４の表面１０上に視覚的に認知可能な結果を生じさせる任意の技術によって作成され得る。デザイン要素２６は、矩形である必要がないが、任意の所望の形状や、形状又は糸の外観の集合体とされ得る。デザイン要素２６は、並置（サイドトゥサイド）若しくは上下配置（トップトゥボトム）のいずれか又は両方で視覚的な枠２２（及び切り取り枠１４）内において中央に置かれ得るが、本発明のいくつかの利点は、上述したようにタイル２４の施工においてデザイン要素２６の少なくともいくつかが意図的に中央に置かれない場合にのみ、享受されるであろう。
【００１７】
図３は、本発明に従ってデザインされた表面１０の外観を有する床カバー材ウェブ３０の一例を示している。そのタフティングデザインは、図６に示される。図６に示され、ウェブ３０に具体化されたデザインは、ウェブ３０を横切って４枚のタイルが、且つ、ウェブ３０の長さに沿って３枚のタイルが切り取られるようにウェブを切り、その後、このデザインを３枚分のタイル長に等しいウェブ長毎に「繰り返す」ことを意図している。図６のデザインは（図３及び４においてウェブ３０に具体化されている）、１／４ゲージタフト等の少なくともいくつかのタフトが高い、即ち、タフトが最終製品において他の糸タフトよりも丈の高いデザインを黒い領域で示している。一方、図６に示されるデザインの白い領域は、略一様に低い高さであるタフト（本例では、１／８ゲージ及び１／４ゲージの両方のタフト）の全てを有している。ウェブ３０上に表現された図６のデザインは、多少不規則ではあるが均一な外観を与える（図６において小さい黒い領域３３として示されている）起立したタフトの小さな群の「フィールド」又は「背景」領域３４を有している。そのデザインは、丸まった角を有する概して矩形の領域を形成している、起立した糸タフトのより広い領域（デザイン要素３６，３８，４０等）を有している。よって、このウェブ３０のデザインの縦方向の「繰り返し」は、３枚分のタイル長に、ウェブ３０がタイルに切り取られたときに生じるであろう縦方向の無駄分を充足させる量を加えたものである。
【００１８】
他の代替物の中でも、このようなデザインは、１／４ゲージ及び１／８ゲージの針棒（needle bar）を有し、１／８ゲージ針には糸Ａ，糸Ｂが、１／４ゲージ針には糸Ａが通されるカーペットタフティング機において作成され得る。（１／８ゲージ針における）「Ｂ」糸は２色の糸であり、１／８及び１／４ゲージ針の両方の「Ａ」糸は単色である。１／８ゲージタフトは、全て選択された均一な高さである。上記で説明したようなパターン要素３３，３６，３８及び４０を形成するために、１／４ゲージタフトのうちのいくつかが１／８ゲージタフトと同じ高さであり、他の１／４ゲージタフト（図６において黒い領域に位置するタフト）がそれよりも高くなるように、１／４ゲージタフトの高さが制御される。
【００１９】
図３におけるウェブ３０上のウェブデザインの外観と、そこから切り取られるであろうタイルとの関係は、図４を参照することによって容易に理解することができる。図４は、ウェブ３０をタイル４２，４４，４８，５０等に分割するためにウェブ３０が切り取られる場所を概ね示す線３２を用いてマークされているウェブ３０の部分を示している。
【００２０】
タイル４２，４４，４８，５０等が形成された後、これらのタイルは類似のタイルと非類似のタイルによる多数の配置で再度床上に組立てられる。このような一つの組立体５２が図５に示されており、それにおいて、このようなタイルが「四分の一回転」パターンで、即ち、各タイルが各々隣接するタイルに対して９０度回転した方向で位置付けられるように施工されている。タイルは、典型的には、裏面に方位矢印を伴って製造されており、全て同じ方位を指し示す矢印を用いて施工されたタイルがウェブ内で有していたのと同じ回転方位となるようにされている。最も一般的なタイルの施工パターンにおいて、タイルは、同じ方向を指し示す全ての方位矢印を用いて、真っ直ぐな行及び列で配置される。「四分の一回転」施工では、タイルの半分が一つの方向を指し示す矢印を有しており、タイルの他の半分が最初の半分の矢印の方位から９０度ずれた方位を指し示す矢印を有している。しかしながら、他の状況においては、本発明のタイルは、モジュールの整合された行を形成しない整合された列として施工され得る。例えば、タイルの列が隣接するタイルの列に対して上又は下にシフトされて見えるように、タイルは施工され得る（「アシュラー施工方法」）。これは、列内のタイルの「上」及び「下」との隣接によって形成される水平方向の継目又はタイル縁を互い違いにさせて配置する。更なる他の施工において、タイルの「行」は整合されるが、列が互い違いにされて配置される「煉瓦積み」施工方法が所望され得る。
【００２１】
図５が明示しているように、本発明の本実施形態のタイルは、どのタイル又はタイルのデザイン要素も場違いに見えない、魅力的な外観を有する好ましい施工物に組立てられる。このことは、たとえデザイン要素３６，３８，４０等が異なるサイズを有し、タイル間で不規則な場所にあるように見える場合でも、それらがタイル内において中央に置かれず且つ各タイル内の同じ場所に存在しないので、変わらない。
【００２２】
また、図４及び５を参照して理解され得るように、本例では合計１２枚のタイルである、ウェブ３０上に形成されたパターンの縦方向の繰り返しから切り取られた各タイルに作成されたデザインは、各タイル毎に異なり得る。この場合には、各パターンの繰り返しから切り取られた１２枚の異なるタイルが得られる。「繰り返し」は、タイル１枚、２枚又は任意の他の数のタイルの長さとし得る。しかしながら、ウェブ３０に沿った、異なるパターンの繰り返しから切り取られた対応するタイルはまた、タイル縁の正確な配置が異なるために互いに異なり得る。最終的に、特定のタイルの群において、膨大な数の異なる配置で相対的な位置に配置することが、床上にタイルを施工する際に可能となる。これらの要素は、所望される場合には、同一の一般的な外観を達成すると同時に、互いに異なる本発明のタイルの組立体の創出を可能とし、実際に容易なものとする。タイル施工の外観における追加的なバリエーションは、領域３４の「背景」パターンのみを有するタイル、又は全体的に異なるパターン又は色又はその両方を有する全体的に異なるタイルを施工に組み込むことによって達成され得る。
【００２３】
また、上記の記載及び図面の考察から明白なように、本例で利用されるウェブ３０のデザインの詳細は例示に過ぎず、本発明の範囲及び精神から逸脱することなく実質的に変更し得る。可能な他のバリエーションの中でも、視覚的な枠２２のサイズを変更し、視覚的な枠２２内に位置付けられたデザイン要素の外観を変更し、及び、背景領域３４の外観を変更することができる。
【００２４】
図３〜５に示された本発明の例示的な実施形態では、３プライの９００デニールの単一エア巻込み６型ナイロンを有する糸を利用しており、ウェブ３０における外観の差異はタフトの高さや他の属性を変化させることによって達成される。異なるタイプ及び／又は色の糸を用いることも可能であり、パターン要素及びフィールド又は背景領域の外観は、非常に広範囲にわたる種類の、慣用の及び未だ開発されていない異なるカーペット、ファブリック及び床材製造技術を利用することで達成され得る。
【００２５】
上記の記載及びそれに伴う図面が明らかにしているように、ウェブの幅及び長さを選択し、ウェブのデザインによってカバーされるウェブ上の空間であるウェブの「ブランク」を画定することによって、本発明に従うウェブパターンがデザインされ得る。次いで、切り取り枠がウェブブランク内に画定される。ウェブブランクの切り取り枠は、ウェブデザインを有するウェブをタイルに切り取ることによって、侵入されることのないウェブの空間を画定している。次いで、所望のデザイン要素は、切り取り枠内で画定される。所望される場合には、各切り取り枠内に全体的に位置する視覚的な枠がデザインされるとともに、各タイル縁とデザイン要素の隣接する部分との間に最低限の所定の距離があることを保証するために、デザイン要素が視覚的な枠内に全体的に配置され得る。
【００２６】
以上の記載は、本発明の実施形態を図示、説明及び記載するために与えられたものである。これらの実施形態の更なる変更及び応用は、当業者にとって明白であろうし、本発明の精神あるいは下記請求の範囲から逸脱することなく行い得る。例えば、例示されたものと異なる形状及び形状のサイズを用いることができる。同様に、多様な色の組合せが可能である。更に、上記の実施形態はタフトされたものであるが、織物調カーペット（フェースファブリック）も慣用型あるいはコンピュータ制御型のジャカード織機又はその他の織機で織ることが可能であり、織物調カーペットを溶着又はその他の方法で形成することも可能である。
【図１】
2010104799.tif 000003
【図２】
2010104799.tif 000004
【図３】
2010104799.tif 000005
【図４】
2010104799.tif 000006
【図５】
2010104799.tif 000007
【図６】
2010104799.tif 000008